(57)【要約】【課題】振動を低下し及び騒音を減少させる空調設備用排水装置の排水羽根を提供する。【解決手段】空調設備用排水装置の排水羽根１０は、軸心２０及び環状羽根板３０とを含む。軸心の最端には連結溝２２を有し、モーターの駆動軸５６１にはめ込んで連結される。軸心の中段部位からは放射状に外に向かって若干の支えリブが延びている。環状羽根板は支えリブ底縁に形成され、軸心を取り巻いている。軸心の間で定められた距離を隔て軸心、支えリブ及び環状羽根板との間には複数の透かし部分３２が形成され、環状羽根板底面は波状の起伏を呈する。【選択図】図４
0003129485.tif 000002
【実用新案登録請求の範囲】
【請求項１】
空調設備用排水装置の排水羽根であって、
軸心は、端部に連結溝を有し、モーターの駆動軸がはめ込まれて連結され、当該軸心の中段部位からは放射状に外へ向かって若干の支えリブが延びており、
環状羽根板は等支えリブ底縁に形成され、当該環状羽根板は当該軸心を取り巻き、当該軸心の間に定められた距離を隔てて、軸心、当該等支えリブ及び当該環状羽根板の間には複数の透かし部分が形成され、当該環状羽根板底面には波状の起伏を呈していることを特徴とする空調設備用排水装置の排水羽根。
【請求項２】
当該環状羽根板は、その円周方向に沿って波状に起伏していることを特徴とする請求項１に記載の空調設備用排水装置の排水羽根。
【請求項３】
当該環状羽根板の周囲には環状立板を有し、当該等支えリブ外端に取り巻いていることを特徴とする請求項１に記載の空調設備用排水装置の排水羽根。
【請求項４】
当該環状羽根板は、当該軸心から放射状に沿って外に向かって徐々に高くなっていることを特徴とする請求項１に記載の空調設備用排水装置の排水羽根。
【考案の詳細な説明】
【技術分野】
【０００１】
本考案は、空調設備用排水装置に関するものであり、特に空調設備用排水装置の排水羽根を指す。
【背景技術】
【０００２】
図１を参照する。冷房機用排水装置１は広く使用されており、その主な構造はセル２、排水室３、モーター４、排水羽根５及び排水管６とを有する。当該セル２の内部には当該排水室３を形成し、当該モーター４は当該セル２に設置され、当該排水羽根５は当該モーター４の駆動軸７に設置され且つ当該排水室３内に位置し、当該配水管６は当該排水室３に連結する。セル２内で蓄積された水量が定められた高さに達した時、当該排水装置１は当該排水室３を駆動して動き出し、セル２内の凝縮水を排出し、自動排水の目的を達する。
しかしながら、慣用の排水装置１では排水の間、当該排水羽根５の支えリブ８が空気を帯びた凝縮水を直接打撃する及びひねることとなり、騒音を発する。同時に真正面からの打撃により生じる抵抗は、互いに連帯して排水装置１全体を揺り動かすため、振動及び騒音を発生させる欠陥を有し改善の余地がある。
【考案の開示】
【考案が解決しようとする課題】
【０００３】
本考案の主な目的は、空調設備用排水装置の排水羽根を提供するところにあり、振動の低下及び騒音の減少という特徴を有する。
【課題を解決するための手段】
【０００４】
前述の目的を達するために、本考案で提供する空調設備用排水装置の排水羽根は、軸心及び環状羽根板とを含む。そのうち当該軸心のいちばん端に連結溝を有することで、モーターの駆動軸にはめ込んで連結し、当該軸心の中段部位から放射状に外に向かって若干の支えリブを延ばす。当該環状羽根板は当該等支えリブ底縁に形成され、当該環状羽根板は当該軸心を取り巻き、且つ当該軸心の間で定められた距離を隔て、当該軸心、当該等支えリブ及び当該環状羽根板との間において複数の透かし部分を形成し、当該環状羽根板底面は波状の起伏を呈する。
本考案は上述のしくみを通して、当該環状羽根板を用いて導く方法により空気を帯びた凝縮水をかき混ぜひねり、排水羽根の支えリブが空気を帯びた凝縮水を直接打撃する及びひねるのを改善し、騒音の発生を有効に減少することができ、同時に渦巻の作り出すかき混ぜを低下し、ひいては全体構造の振動状況を改善し、振動の低下及び騒音の減少という特徴を有する。
【考案を実施するための最良の形態】
【０００５】
本考案の構造及び特徴の所在を詳細に説明するため、以下２つのよい実施例を挙げる。
まず図２及び図３を参照する。本考案の第１実施例が提供する空調設備用排水装置の排水羽根１０は、軸心２０及び環状羽根板３０とを含む。
当該軸心２０のいちばん端に連結溝２２を有することで、モーター５６の駆動軸５６１（図５に示す）にはめ込んで連結し、当該軸心２０の中段部位から放射状に外へ向かって若干の支えリブ２４を延ばす。
【０００６】
当該環状羽根板３０は当該等支えリブ２４底縁に形成され、また当該軸心から放射状に沿って外へ向かって段々と高くなり、当該環状羽根板３０は当該軸心２０を取り巻き、且つ当該軸心２０との間に定められた距離を隔て、当該軸心２０、当該等支えリブ２４及び当該環状羽根板３０との間に複数の透かし部分３２を形成する。当該環状羽根板３０底面はその円周方向に沿って波状の起伏を呈する。且つ当該環状羽根板３０の周囲には環状立板３４を有し、当該等支えリブ２４の外端において取り巻く。
【０００７】
本考案を詳細に説明するため、図４及び図５を参照する。これは本考案の第１実施例で提供する空調設備用排水装置の排水羽根１０を排水装置５０に応用した実施様態である。そのうち、当該排水装置５０にはセル５２、排水室５４、モーター５６、当該排水羽根１０及び配水管５９とを有する。当該セル５２は、台座５２１とカバー５２２とから成り、当該排水室５４を形成する。当該モーター５６は、当該セル５２に設置する。当該排水羽根１０は当該モーター５６の駆動軸５６１に設置し、且つ当該排水室５４内に位置し、当該配水管５９は当該排水室５４に接続する。以上に述べる当該排水装置５０の構造は慣用の物と同じであり、ここでわざわざ述べない。
【０００８】
上記構造により、冷房機の凝縮水が当該排水室５４に入る時、当該排水羽根１０は、凝縮水に対しかき混ぜを引き起こして渦巻き水流を形成し、更に凝縮水を当該配水管５９へ送り込むことで、凝縮水を排出する目的を達する。当該排水羽根１０は、かき混ぜ時において当該環状羽根板３０の波状設計により凝縮水が乱流するよう導くことができる。同時に当該環状羽根板３０が空気を帯びた凝縮水に触れる及びひねる時、凝縮水を真正面から直接打撃するのを避けることができ、しかして導く方法により、騒音の発生を有効に減少する。この他、低下することもできまた渦巻の作り出すかき混ぜを低下し、ひいては全体構造の振動状況を改善し、振動の低下及び騒音の減少という特徴を有する。
【０００９】
図６を参照する。本考案の第２実施例が提供する空調設備用排水装置の排水羽根１２である。その構造は大体において第１実施例と同じであり、同様に軸心６０及び環状羽根板７０とを含む。しかし、その差異は、当該環状羽根板７０の透かし部分７２の形成数が同じでないところにあり、目的は本考案の別の実施様態を提供するところにある。
【００１０】
更に図７を参照する。これは本考案の第２実施例が提供する空調設備用排水装置の排水羽根１２を排水装置５０に応用した実施様態である。これは第１実施例の組み付け方法と同じであり、同じ効果に達することができる。
こうして、本考案が提供する空調設備用排水装置の排水羽根は、環状羽根板を作動して導く方法で空気を帯びた凝縮水をかき混ぜひねり、排水羽根の支えリブが空気を帯びた凝縮水を直接打撃する及びひねるのを改善し、騒音の発生を有効的に減少させることができ、同時に渦巻の作り出すかき混ぜを低下し、ひいては全体構造の振動状況を改善し、振動の低下及び騒音の減少という特徴を有する。
【００１１】
以上述べたところを総合すると、本考案の前掲の実施例中において明らかにした構成部品は、ただ例を挙げ説明したのみで、本件の範囲に限り用いるものでは全くなく、その他等価部品の代替或いは変化もまた、本件の実用新案登録請求の範囲がカバーするべきものである。
【図面の簡単な説明】
【００１２】
【図１】慣用の排水装置の構造断面図である。
【図２】本考案の第１実施例による空調設備用排水装置の排水羽根を示す斜視図である。
【図３】本考案の第１実施例による空調設備用排水装置の排水羽根を示す平面図である。
【図４】本考案の第１実施例による空調設備用排水装置の排水羽根を排水装置に設置した状態を示す分解図である。
【図５】本考案の第１実施例による空調設備用排水装置の排水羽根を排水装置に設置した状態を示す断面図である。
【図６】本考案の第２実施例による空調設備用排水装置の排水羽根を示す平面図である。
【図７】本考案の第２実施例による空調設備用排水装置の排水羽根を排水装置に設置した状態を示す断面図である。
【符号の説明】
【００１３】
１０:排水羽根、１２：排水羽根、２０： 軸心、６０：軸心、２２：連結溝、３０：環状羽根板、７０：環状羽根板、３２：透かし部分、７２：透かし部分、３４：環状立板、２４：支えリブ、５０：排水装置、５２：セル、５２１：台座、５２２：カバー、５４：排水室、５６：モーター、５６１：駆動軸、５９：配水管
【図１】
0003129485.tif 000003
【図２】
0003129485.tif 000004
【図３】
0003129485.tif 000005
【図４】
0003129485.tif 000006
【図５】
0003129485.tif 000007
【図６】
0003129485.tif 000008
【図７】
0003129485.tif 000009